(57)【要約】【課題】  特殊な装置を必要とせず、色指定の制約のない色入力装置を提供する。【解決手段】  画像記録メディアスロット２３１に挿入された画像記録メディア２３２に記録された画像ファイルのリストをＴＰＤ２２６により表示し、その表示された中からＴＰＤ２２６により指定した所望のカラー画像ファイルを読み出して、カラー画像中の所定位置の色を検出してシステム制御ユニット２０３に記憶するようにした。【選択図】  図２
2006115349.tif 000002
【特許請求の範囲】
【請求項１】
画像ファイルが記録された画像記録メディアを挿入可能な画像記録メディアスロットと、前記画像記録メディアに記録された画像ファイルのリストを表示する表示手段と、該表示手段に表示された中から所望のカラー画像ファイルを指定する指定手段と、該指定手段により指定されたカラー画像ファイルを読み出して、カラー画像中の所定位置の色を検出する検出手段と、該検出手段により検出した色を記憶する記憶手段と、を備えていることを特徴とする色指定装置。
【請求項２】
前記画像記録メディアは、デジタルカメラのスロットに挿入可能な規格であることを特徴とする請求項１の色指定装置。
【請求項３】
請求項１または２に記載の色指定装置が搭載されていることを特徴とするデジタル画像形成装置。
【発明の詳細な説明】
【技術分野】
【０００１】
本発明は、カラー画像中の所定位置の色を指定する色指定装置及び指定された色に応じて画像処理を行うデジタル画像形成装置に関する。
【背景技術】
【０００２】
従来のデジタルカラー複写機、例えば弊社製ＡＲＴＡＧＥ８０００(商品名)等では、指定したい色の原稿内での位置をタブレット等の入力装置を用いて指定し、次いでスキャナで指定位置の原稿を読み取らせる。
また、特許文献１に示された装置では、露光ランプ、セルフォックレンズ(商品名)、及び分光フィルタを設けたＣＣＤからなる色センサを有する色指定ペンにより、カラー原画像や色見本などにおける特定色の部分の色をＲ、Ｇ、Ｂに色分解して読み取らせている。
【特許文献１】特開平５−２２６１６号公報
【発明の開示】
【発明が解決しようとする課題】
【０００３】
従来のデジタルカラー複写機における色指定では、エディットペン等、機械的／電気的にデジタルカラー複写機に接続した特殊な装置を必要としていた。このためデジタルカラー複写機まで持ち運び可能な物体の色しか指定ができないという欠点があった。
そこで、本発明は上記したような点を鑑みて成されたものであり、特殊な装置を必要とせず、色指定の制約のない色入力装置、及びデジタル画像形成装置を提供することを目的とする。
【課題を解決するための手段】
【０００４】
上記目的を達成するために、請求項１記載の発明は、画像ファイルが記録された画像記録メディアを挿入可能な画像記録メディアスロットと、前記画像記録メディアに記録された画像ファイルのリストを表示する表示手段と、該表示手段に表示された中から所望のカラー画像ファイルを指定する指定手段と、該指定手段により指定されたカラー画像ファイルを読み出して、カラー画像中の所定位置の色を検出する検出手段と、該検出手段により検出した色を記憶する記憶手段と、を備えている色指定装置を最も主要な特徴とする。
また請求項２記載の発明は、前記画像記録メディアは、デジタルカメラのスロットに挿入可能な規格であること請求項１の色指定装置を主要な特徴とする。
また請求項３記載の発明は、請求項１または２に記載の色指定装置が搭載されているデジタル画像形成装置を主要な特徴とする。
【発明の効果】
【０００５】
請求項１の発明によれば、画像記録メディアスロットに挿入された画像記録メディアに記録された画像ファイルのリストを表示手段により表示し、その表示された中から指定手段により指定した所望のカラー画像ファイルを読み出して、カラー画像中の所定位置の色を検出して記憶手段に記憶するようにしているので、特殊な装置を必要とせずに所望の色を記録した画像ファイルを用意するだけでよく、色指定の制約のない色入力装置を提供することができるようになる。
また請求項２の発明によれば、画像記録メディアは、デジタルカメラのスロットに挿入可能な規格であるので、デジタルカメラで使用した画像記録メディアを直接利用でき、メディア変換等の作業が不要となって操作性の向上を図ることができる。
請求項３の発明によれば、請求項１の色指定装置が搭載されているので、特殊な装置を必要とせずに所望の色を記録した画像ファイルを用意するだけでよく、色指定の制約のないデジタル画像形成装置を実現することができる。
【発明を実施するための最良の形態】
【０００６】
以下、図面を参照して、本発明の実施形態を詳細に説明する。尚、本実施形態では、デジタル画像形成装置としてカラー複写機を例に挙げて説明する。
図１は本発明の実施形態に係るカラー複写機の機構部の概略構成図である。また図２は本発明の実施形態に係るカラー複写機の電装部の概略構成図である。
図１を参照すると、本実施形態のカラー複写機の機構部は、主に、原稿を読み取るスキャナユニット１０１と、記録紙に画像を記録するプリンタユニット１０２とを含んでいる。
先ず、スキャナユニット１０１に注目すると、原稿１０３はプラテン１０４上の所定の位置に置かれ、ハロゲンランプ１０５ａ及び１０５ｂにより照明されている。原稿１０３からの反射光は、第１ミラー１０６、第２ミラー１０７、第３ミラー１０８及びレンズ１０９を経てカラーラインイメージセンサであるＣＣＤ１１０に結像され、ＣＣＤ１１０により画像信号に光電変換される。
ここで、ハロゲンランプ１０５ａ及び１０５ｂ並びに第１ミラー１０６は図示しない第１キャリッジに、第２ミラー１０７及び第３ミラー１０８は図示しない第２キャリッジにそれぞれ搭載されており、原稿１０３読み取り時には、図示しないキャリッジ駆動モータにより第１キャリッジ及び第２キャリッジが２：１の速度比で左から右へ移動する。これにより、プラテン１０４上に置かれた原稿１０３の全面が走査される。
ＣＣＤ１１０で光電変換された画像信号は、画像処理ユニット１１１等で各種処理を施された後、プリンタユニット１０２の図示しないＬＤ（レーザ・ダイオード）に入力され、ここでレーザ光に変換される。
次に、プリンタユニット１０２に注目すると、ＬＤから出射されたレーザ光は、ポリゴンミラー１１２で反射され、ｆθレンズ１１３及び第４ミラー１１４を経て、反時計方向に回転している感光体ドラム１１５上に結像照射される。
ここで、ポリゴンミラー１１２はポリゴンモータ１１６の回転軸に固着されており、ポリゴンモータ１１６は一定速度で回転してポリゴンミラー１１２を回転駆動している。また、ポリゴンミラー１１２の回転により、上述のレーザ光は感光体ドラム１１５の回転移動方向と垂直な方向、即ちドラム軸に沿う方向に走査される。
感光体ドラム１１５の表面は、図示しない高圧発生装置に接続された帯電チャージャ１１７により、予め一様な負電位に帯電されている。また、レーザ光が感光体ドラム１１５に照射されると、光導電現象で表面の電荷がドラム本体の機器アースに流れて消滅する。
ここで、原稿濃度の淡い部分はＬＤを強く点灯し、原稿濃度の濃い部分はＬＤを弱く点灯する。これにより感光体ドラム１１５の表面には、ポリゴンミラー１１２による主走査と感光体ドラム１１５の回転による副走査とで、原稿の濃淡に応じた静電潜像が形成される。
【０００７】
現像ユニット１１８は、ブラック、シアン、マゼンタ及びイエローの負帯電したトナーをそれぞれ収容する現像部Ｋ、Ｃ、Ｍ及びＹを有しており、何れか１つの現像部が選択されている。選択された現像部は、図示しない高圧発生装置により所定の負電位にバイアスされ、上記静電潜像を現像して、原稿の濃淡に応じたトナー像を感光体ドラム１１５の表面に形成する。
転写ベルト１１９は、図示しない高圧発生装置により所定の正電位にバイアスされており、感光体ドラム１１５と同速度で時計方向に回転している。また上記トナー像は、感光体ドラム１１５と転写ベルト１１９が接近する間に、バイアスの作用により引き寄せられて転写ベルト１１９の表面に転写される。
ここで、原稿１０３の読み取り、静電潜像の形成、トナー像の転写動作は、必要な回数繰り返される。即ち、フルカラーモードの場合は４回行われ、それぞれＫ、Ｃ、Ｍ及びＹの順で現像部が選択され、形成されたトナー像は位置合わせをした上で、転写ベルト１１９の表面で重ね合わされる。またブラック、シアン、マゼンタ及びイエローの各モードの場合は１回だけ行われ、それぞれ現像部Ｋ、Ｃ、Ｍ及びＹが選択される。
また、レッド、グリーン及びブルーの各モードの場合は２回だけ行われ、それぞれＭとＹ、ＣとＹ及びＣとＭの順で現像部が選択される。また、原稿色、登録色及び２色モードの場合は、指定された色に応じて必要となる回数の動作と呼応する現像部の選択が行われる。
【０００８】
一方、給紙カセット１２０ａ及び１２０ｂにはそれぞれ記録紙１２１ａ及び１２１ｂが収納されており、どちらかの給紙カセット１２０ａまたは１２０ｂが選択されている。選択されている給紙カセット１２０ａまたは１２０ｂ、例えば給紙カセット１２０ａの記録紙１２１ａは、給紙コロ１２２ａの給紙動作により繰り出され、レジストローラ１２３ａ及び１２３ｂに到達する。レジストローラ１２３ａ及び１２３ｂは初め停止しており、回転する転写ベルト１１９上のトナー像の位置に応じて所定のタイミングで回転を開始し、記録紙１２１ａを送り出す。
転写チャージャ１２４は図示しない正電圧の高圧発生装置に接続されており、転写ベルト１１９上のトナー像は、転写チャージャ１２４の作用により、送り出された記録紙１２１ａに再転写される。
尚、記録紙１２１ａにトナー像を再転写する時は、転写ベルト１１９のバイアスを解除して、再転写を促進している。トナー像が再転写された記録紙１２１ａは、熱定着ユニット１２５ａ及び１２５ｂに送られ、そこでトナー像が記録紙１２１ａに固着され、機外に排出される。
また、転写後も感光体ドラム１１５の表面に残留したトナーはクリーニングユニット１２６で除去され、感光体ドラム１１５は次の動作に備える。また再転写後も、転写ベルト１１９の表面に残留したトナーはクリーニングユニット１２７で除去され、転写ベルト１１９は次の動作に備えることとなる。
【０００９】
次に図２を参照すると、本実施形態のカラー複写機の電装部は、主に、上述したスキャナユニット１０１、画像処理ユニット１１１、プリンタユニット１０２、処理モード選択等の入力の検出及び表示を行う操作表示ユニット２０１、並びに、これら各ユニットの制御回路と通信を行いカラー複写機２０２の全体の動作を制御するシステム制御ユニット２０３（記憶手段）を含んでいる。
尚、本実施形態のカラー複写機２０２は、ＬＡＮ（ローカル・エリア・ネットワーク）接続装置２０４と接続されており、ＬＡＮ２０５に接続されたワークステーション２０６やパーソナルコンピュータ２０７等の他の機器と、ＬＡＮ接続装置２０４を介して画像信号の入出力を行う。
先ず、スキャナユニット１０１に注目すると、上述のＣＣＤ１１０は入射光をＲＧＢ（赤緑青）の３色に色分解した後、光電変換して、３種類のアナログ画像信号をＡ／Ｄ変換回路２０８に出力する。
Ａ／Ｄ変換回路２０８では、入力された画像信号をそれぞれデジタル信号に変換すると共に、上述のハロゲンランプ１０５ａ及び１０５ｂの原稿照明むら、ＣＣＤ１１０内部の受光素子の感度むら、並びに、暗電位に対する補正等の処理も行う。
またスキャナ制御回路２０９では、システム制御ユニット２０３と通信を行うと共に、スキャナユニット１０１全体を制御している。例えば、Ａ／Ｄ変換回路２０８の動作制御、ハロゲンランプ１０５ａ及び１０５ｂの点灯制御、並びに、キャリッジ駆動モータ２１０の回転制御等を行う。
また原稿サイズセンサ２１１は、プラテン１０４に置かれた原稿１０３の大きさを検出するセンサであって、その検出結果をスキャナ制御回路２０９に出力している。
一方、Ａ／Ｄ変換回路２０８で変換された画像信号は、画像処理ユニット１１１のγ変換回路２１２に入力される。
【００１０】
次に、画像処理ユニット１１１について説明する。
γ変換回路２１２は、ＬＡＮ接続装置２０４にも接続されており、Ａ／Ｄ変換回路２０８またはＬＡＮ接続装置２０４から入力される画像信号を濃度等に比例した画像信号に階調変換し、像域分離回路２１３及び色補正回路２１４に出力する。また設定によっては、γ変換回路２１２は、Ａ／Ｄ変換回路２０８から入力された画像信号を階調変換してＬＡＮ接続装置２０４に出力することもある。
像域分離回路２１３は、入力された画像信号に基づいて、処理を行っている画像部分が文字等の線画か否か、白黒画像かカラー画像かを判定する回路であって、その結果を示す判定信号を色補正回路２１４に出力する。
また領域制御回路２１５は、画像の部分領域毎に異なる画像処理を施すための切り換え信号を発生する回路であって、その切り換え信号を色補正回路２１４に出力する。
【００１１】
色補正回路２１４では、γ変換回路２１２からの画像信号を、上述の如く選択される現像部に応じたトナーの記録量に変換する色補正処理を行うと共に、エッジ強調や平滑化等の２次元フィルタ処理等も行う。ここで、これらの処理は、上記判定信号や切り換え信号により制御されている。
例えば、判定信号が線画であればエッジ強調気味のフィルタ処理を行い、また非線画であれば平滑化気味のフィルタ処理を行う。また、切り換え信号により、判定信号の意味するところに拘らず所定のフィルタ処理を行うこともある。
色補正処理も同様で、例えば、切り換え信号に応じてフルカラーモードやブラックモードに適したトナー記録量に変換する。またフルカラーモードにおいて、判定信号が線画で且つ白黒画像であればＵＣＲ（下色除去；Under Color Removal）率を１００［％］に、非線画またはカラー画像であればＵＣＲ率を７０［％］にする変換を行うこともある。
色補正回路２１４からは、トナー記録量に変換された１種類の画像信号、判定信号及び切り換え信号が出力され、変倍回路２１６に入力される。
変倍回路２１６では、色補正回路２１４からの３種の信号を主走査方向に拡大／縮小する変倍処理を行うと共に、温湿度等で変動するプリンタユニット１０２の記録特性（画像信号対トナー記録量特性）を補正するγ補正処理や、主走査方向の１または数画素と副走査方向の１または数画素とを１単位とし、解像度または階調性を重視した階調表現をする階調処理等を行う。
ここでγ補正処理及び階調処理は、上記判定信号や切り換え信号により制御されており、例えば、判定信号が線画であれば解像度を重視した階調処理を行い、非線画であれば階調性を重視した階調処理を行う。
また階調処理の種類によって上述の記録特性が変化するため、階調処理に連動して異なるγ補正処理も行う。更に切り換え信号により、判定信号の意味するところに拘らず所定の階調処理またはγ補正処理を行うこともある。
尚、原稿１０３の副走査方向を拡大／縮小する変倍処理は、上述のキャリッジ駆動モータ２１０の回転制御により行う。また、変倍回路２１６はＬＡＮ接続装置２０４にも接続されており、上記処理が施された画像信号またはＬＡＮ接続装置２０４から入力される画像信号を、切り換え信号と共にイレース回路２１７に出力する。尚、設定によって変倍回路２１６は、上記処理が施された画像信号をＬＡＮ接続装置２０４に出力することもある。
【００１２】
イレース回路２１７では、入力された切り換え信号と設定に応じて、入力された画像信号を固定の信号値（例えば最もトナーを付着させない値）に置き換える。これは、上述の原稿サイズセンサ２１１で検出された原稿１０３の大きさや、選択された給紙カセット１２０ａ及び１２０ｂに収納された記録紙１２１ａ及び１２１ｂの大きさに応じて、不要な画像が記録されないようにするために行うものである。
また画像処理制御回路２１８では、システム制御ユニット２０３と通信を行うと共に、システム制御ユニット２０３からの要求に応じて、上述したγ変換回路２１２、像域分離回路２１３、色補正回路２１４、領域制御回路２１５、変倍回路２１６及びイレース回路２１７の設定等を行い、画像処理ユニット１１１全体を制御している。
一方、イレース回路２１７から出力された画像信号は、プリンタユニット１０２のＬＤ駆動回路２１９に入力される。
【００１３】
次に、プリンタユニット１０２について説明する。
先ずＬＤ駆動回路２１９では、入力された画像信号に応じてパルス幅変調やパワー変調等を行ってＬＤ（レーザ・ダイオード）２２０を駆動し、これによってＬＤ２２０の点灯強度を調整している。
またプリンタ制御回路２２１では、システム制御ユニット２０３と通信を行うと共に、プリンタユニット１０２全体を制御している。例えばＬＤ駆動回路２１９を制御してＬＤ２２０を強制消灯したり、ポリゴンモータ１１６、感光体ドラム１１５を回転駆動するドラム駆動モータ２２２及び転写ベルト１１９を回転駆動するベルト駆動モータ２２３等の回転制御を行ったりする。また現像ユニット１１８の現像部Ｋ、Ｃ、Ｍ及びＹの選択制御、高圧電源２２４の各負荷（例えば帯電チャージャ、現像部、転写ベルト１１９、転写チャージャ１２４等）毎の出力制御、更に熱定着ユニット１２５の温度制御等を行う。
尚、プリンタユニット１０２は、上述の給紙カセット１２０ａ及び１２０ｂ毎に、収納された記録紙１２１ａ及び１２１ｂの大きさを検出する図示しない紙サイズセンサを有しており、その検出結果はプリンタ制御回路２２１に出力されている。
次に、操作表示ユニット２０１について説明する。操作表示ユニット２０１は、原稿１０３上の所定の範囲・位置等を入力するためのデジタイザ２２５、各種モードの選択肢や設定状態等を表示する表示部と該表示部の押下位置を検出する検出部が一体となったタッチパネルディスプレイ（表示手段、指定手段）２２６、コピー枚数やコピー開始等を入力するためのキーボード（ＫＢ）２２７、操作表示制御回路（検出手段）２２８、圧縮された画像ファイルの伸張する圧縮処理回路２３０、画像記録メディア２３２を挿入可能な画像記録メディアスロット(カードＩ／Ｆ)２３１、画像ファイルが記録され着脱可能な画像記録メディア(メモリカード)２３２から構成されている。
操作表示制御回路２２８では、タッチパネルディスプレイ（ＴＰＤ）２２６に各モードの選択肢等を表示してキー入力等を促したりする。またデジタイザ２２５、ＴＰＤ２２６及びキーボード２２７からの入力を検出して、ＴＰＤ２２６に設定された状態を表示すると共に、システム制御ユニット２０３と通信を行って入力結果を送信する等の動作を行っている。
【００１４】
次に、ＴＰＤ２２６における表示画面例を図３に示し、本実施形態のカラー複写機における全体的な制御の流れを図３に基づいて説明する。
カラー複写機の電源が投入されると、操作表示制御回路２２８は初期状態になり、図３（ａ）に示すような標準画面を表示する。図３（ａ）の画面右側の表示部分「写真」、「文字」及び「標準」は画質モード選択用の領域であり、操作者がこの表示部分を押下すると、それぞれ写真画像に適した写真モード、文字画像に適した文字モード、及び、写真・文字混在画像に適した表示モードが選択される。
例えば表示部分「文字」が押下されると、操作表示制御回路２２８は、その押下操作を検出して、図３（ｂ）に示すように表示部分「文字」に枠を表示し、文字モード選択が認識されたことを操作者に伝える。
また操作表示制御回路２２８では、システム制御ユニット２０３に文字モード用の設定を要求する。システム制御ユニット２０３はこれを受けて画像処理制御回路２１８に文字モード用の設定を要求し、画像処理制御回路２１８は、その設定要求を受けて領域制御回路２１５、色補正回路２１４及び変倍回路２１６等の設定を行う。
例えば、これらの回路が判定信号の意味するところに拘らず、エッジ強調気味のフィルタ処理、解像度を重視した階調処理、並びに、これに合うγ補正処理を行うように設定される。
また表示部分「カラー選択」はカラーモード選択画面呼び出し用の領域であり、操作者がこの表示部分を押下すると、操作表示制御回路２２８は、その押下操作を検出して、図３（ｃ）に示すようなカラーモード選択画面を表示する。これによって操作者はフルカラーモードをはじめとする各種カラーモードの選択が可能になる。
例えば、図３（ｃ）に示す状態で操作者が表示部分「ブラック」を押下すると、操作表示制御回路２２８は、その押下操作を検出して、図３（ｄ）に示すような画面を表示し、ブラックモード選択が認識されたことを操作者に伝える。
また操作表示制御回路２２８では、これを受けてシステム制御ユニット２０３にブラックモード用の設定を要求する。
システム制御ユニット２０３はこれを受けて画像処理制御回路２１８にブラックモード用の設定を要求し、画像処理制御回路２１８は、その設定要求を受けて領域制御回路２１５及び色補正回路２１４等の設定を行う。例えば、色補正回路２１４がブラックモードに適したトナー記録量に変換する色補正処理を行うように設定される。
更にシステム制御ユニット２０３では、プリンタ制御回路２２１等にもブラックモード用の動作制御を要求する。プリンタ制御回路２２１では、その動作制御要求を受けて、実際の複写動作に際して、現像部Ｋの選択や、原稿の読み取り、静電潜像の形成、トナー像の形成及びトナー像の転写動作を１回行ったら、転写ベルト１１９上のトナー像を記録紙に再転写させる等の動作制御を行う。
【００１５】
次に、カメラ指定モードが選択される場合の制御の流れを説明する。図３（ｃ）に例示したようなカラーモード選択画面の表示状態において、操作者が表示部分「カメラ指定」を押下すると、操作表示制御回路２２８は、その押下操作を検出して図４（ａ）に示すような画面を表示し、カメラ指定モード選択が認識されたことを操作者に伝える。
即ち、操作表示制御回路２２８は、上述したメディアスロット２３１に挿入された画像記録メディア２３２を読み出して、圧縮処理回路２３０により伸張し、記録された画像ファイルのサムネイル画像(４０１〜４０４)を作成し、ファイル名(４０５〜４０８)と共に、所定の順序（例えばファイル名順等）で表示する。尚、同図では、画像記録メディア２３２に記録された全ての画像ファイルを１度で表示できないので、「前頁」「次頁」等のスクロール指示用の領域も表示している。つまり、これらの表示部分が押下されると、操作表示制御回路２２８は、順序的に次に位置する画像ファイルのサムネイル画像を作成し、ファイル名と共に表示する。
ここで、カメラ指定モードのカラー選択は、操作者がファイル名表示部分を押下することで実現される。即ち、操作表示制御回路２２８は、その操作を検出すると、対応する画像ファイルを読み出して、圧縮処理回路２３０により伸張し、画像の所定位置（例えば中央部）の色をサンプリングし、これを元に最適な現像部Ｃ、Ｍ、Ｙ及びＫの記録値の組合せを決定すると共に、図４（ｂ）に示すような画面を表示して、ファイル名選択が認識されたことを操作者に伝える。
【００１６】
また、操作表示制御回路２２８は、カメラ指定モードとＣ、Ｍ、Ｙ及びＫの組合せを、システム制御ユニット２０３に通知し、システム制御ユニット２０３はこれを受けて画像処理制御回路２１８にカメラ指定モードとＣ、Ｍ、Ｙ及びＫの組合せに応じた設定を要求し、画像処理制御回路２１８は該設定要求を受けて領域制御回路２１５及び色補正回路２１４等の設定を行う。例えば、色補正回路２１４がＣ、Ｍ、Ｙ及びＫの組合せに応じたトナー記録量に変換する色補正処理を行うように設定される。
更にシステム制御ユニット２０３では、プリンタ制御回路２２１等にもカメラ指定モード用の動作制御を要求する。プリンタ制御回路２２１では、その動作制御要求を受けて、実際の複写動作に際して、現像部Ｋ、Ｃ、Ｍ、Ｙの順に現像部を選択すると共に（但し、記録値が“０”の場合は省略）、原稿の読み取り、静電潜像の形成、トナー像の形成及びトナー像の転写動作を必要な回数行った後、転写ベルト１１９上のトナー像を記録紙に再転写させる等の動作制御を行う。
即ち、図４（ｂ）表示状態で操作者が図示しないキーボード２２７のコピー開始用のキーを押下すると、操作表示制御回路２２８はこの操作を検出して、システム制御ユニット２０３にコピー動作の開始を要求する。システム制御ユニット２０３は、その動作開始要求を受けて、スキャナ制御回路２０９やプリンタ制御回路２２１等の制御回路にコピー動作の開始を要求する。更に各ユニットの制御回路は、その動作開始要求を受けて各ユニットを制御し、上述のようなコピー動作を行って、所望のカメラ指定色のコピーを排出する。
以上のように、本実施形態におけるカメラ指定モードでは画像記録メディア２３２に記録された画像ファイルにより、所望の色を選択することができる。
【００１７】
ここで、画像記録メディア２３２とは、デジタルカメラに使用されるスマートメディア、コンパクトフラッシュ、メモリーステック等を指す。従って、近年普及の著しいデジタルカメラによって、所望の色を撮影し、画像記録メディア２３２を画像記録メディアスロット２３１に挿入すれば、いかなる色も選択可能となる。即ち、色指定のために持ち運び可能な物体の色しか指定ができないという欠点を解消することができる。
尚、画像記録メディアスロット２３１から出力されるメディア検出信号２３３は、画像記録メディア２３２の挿入の有無を操作表示制御回路２２８に通知しており、操作表示制御回路２２８は、画像記録メディア２３２が挿入されていない場合、図３（ｃ）の「カメラ指定」を表示しないようにする。これにより、誤操作を未然に防ぎ、操作性の向上を図るようにしている。
【図面の簡単な説明】
【００１８】
【図１】本発明の実施形態に係るカラー複写機の機構部の概略構成図である。
【図２】本発明の実施形態に係るカラー複写機の電装部の概略構成図である。
【図３】ＴＰＤにおける表示画面例を示す図である。
【図４】ＴＰＤにおける表示画面例を示す図である。
【符号の説明】
【００１９】
２０３  システム制御ユニット(記憶手段)、２２６  ＴＰＤ(表示手段、指定手段)、２２８  操作表示制御回路(検出手段)、２３１  画像記録メディアスロット、２３２  画像記録メディア
【図１】
2006115349.tif 000003
【図２】
2006115349.tif 000004
【図３】
2006115349.tif 000005
【図４】
2006115349.tif 000006